(57)【要約】【課題】外付け式と内蔵式との両方に好適に用いることができる通信アダプタを提供する。【解決手段】家電機器（１０）に接続されることで家電機器（１０）と通信ネットワーク（６２）との通信を可能にし、当該通信アダプタ（１）と前記家電機器（１０）と前記通信ネットワーク（６２）を介したサーバ（２０）との間の通信状態を表示するアダプタ側ランプ部（５）を備えた通信アダプタ（１）であって、前記アダプタ側ランプ部（５）のＯＮ/ＯＦＦを設定し、当該前記通信状態を示す状態情報を接続されている家電機器（１０）に送信する制御部（２１）を備える。【選択図】図７
2016116159.tif 000002
【特許請求の範囲】
【請求項１】
電気機器に接続されることで該電気機器と通信ネットワークとの通信を可能にし、当該通信アダプタと前記電気機器と前記通信ネットワークを介したサーバ装置との間の通信状態を表示する通信状態表示部を備えた通信アダプタであって、
前記通信状態表示部のＯＮ/ＯＦＦを設定する設定部と、
前記通信状態を示す状態情報を接続されている電気機器に送信する状態情報送信部と、を備えることを特徴とする通信アダプタ。
【請求項２】
前記設定部が、前記電気機器より受信した該電気機器の種別を示す種別情報に基づいて、前記通信状態表示部をＯＦＦ設定すべき電気機器であるか否かを判断し、ＯＦＦ設定すべき電気機器であると判断すると、前記通信状態表示部をＯＦＦ設定とすることを特徴とする請求項１に記載の通信アダプタ。
【請求項３】
前記状態情報送信部は、前記通信状態表示部がＯＦＦ設定である場合にのみ、前記状態情報を送信することを特徴とする請求項１又は２に記載の通信アダプタ。
【請求項４】
請求項１に記載の通信アダプタと接続されて、通信ネットワークとの通信が可能になる電気機器であって、
当該電気機器に接続される前記通信アダプタの前記設定部に対して、前記通信状態表示部のＯＮ/ＯＦＦの設定を指示する指令部と、
前記通信アダプタより受信した前記状態情報に基づいて、通信状態を簡略化して表示する簡易通信状態表示部と、を備えることを特徴とする電気機器。
【請求項５】
前記通信状態に異常がある場合に、異常の内容と対策方法とを含む詳細情報をユーザに通知する詳細情報通知部を備えることを特徴とする請求項４に記載の電気機器。
【発明の詳細な説明】
【技術分野】
【０００１】
本発明は、電気機器に接続されることで該電気機器と通信ネットワークとの通信を可能にする通信アダプタおよび該通信アダプタとの組み合わせが好適な電気機器に関する。
【背景技術】
【０００２】
家庭用の電気機器（以下、家電機器と称する）を、無線ＬＡＮ等の狭域の通信ネットワークとインターネット等の広域の通信ネットワークとを介して通信端末装置と接続し、該通信端末装置にて家電機器を遠隔制御したりモニタリングしたりする技術がある（例えば、特許文献１）。また、家電機器を、上記狭域の通信ネットワークを介してホームコントローラと接続し、ホームコントローラにて家電機器への電力供給を制御して二酸化炭素の排出量の削減に取り組む技術もある（例えば、特許文献２）。
【０００３】
ところで、家電機器を通信ネットワークに接続するには、家電機器に、通信ネットワーク上の通信媒体に対応した通信プログラムおよび通信ネットワークに接続するための通信制御プラグラムを備えさせる必要がある。しかしながら、家電機器に通信プログラムと通信制御プログラムを備えさせると、家電機器の制御処理内容が増大し、機器のコストアップに繋がる。また、接続する通信ネットワークの通信方式の変更に対して、柔軟に対応させることができないといった不便もある。
【０００４】
そこで、通信ネットワークとの通信に用いる通信制御部および通信プログラムの記憶部を家電機器から分離して、脱着可能な通信アダプタとする技術がある（例えば、特許文献３）。また、このような通信アダプタには、通信アダプタと家電機器との通信状態、通信アダプタとネットワークとの通信状態、家電機器とサーバ装置との通信状態などをユーザに表示する表示部が設けられているものもある。
【先行技術文献】
【特許文献】
【０００５】
【特許文献１】特開２００６−１４０６９１号公報（２００６年６月１日公開）
【特許文献２】特開２０１３−６２６７２号公報（２０１３年４月４日公開）
【特許文献３】特開２００５−１８４４８７号公報（２００５年７月７日公開）
【発明の概要】
【発明が解決しようとする課題】
【０００６】
しかしながら、上記のような通信状態を示す表示部が設けられた通信アダプタにおいては、以下のような問題がある。
【０００７】
家電機器における通信アダプタの設置場所は、通信アダプタの表示部がユーザに見える場所とする必要がある。そのため、家電機器によっては、設置場所の確保が外観デザインの制約となる。このような家電機器としては、例えば、オーブンレンジがある。また、洗濯機や食器洗浄機など、水廻りに設置される家電機器においては、通信アダプタに水がかかる恐れがあり、防水対策が必要となる。
【０００８】
そこで、設置場所の確保が外観デザインの制約となる家電機器や、水がかかる恐れのある家電機器については、通信アダプタを家電機器に内蔵することが考えられている。しかしながら、外付け式で用いられている通信アダプタをそのまま内蔵式に用いると、通信アダプタの上記表示部が家電機器の内部で表示を行い続けることとなり、無駄な消費電力が発生する。通信アダプタは設置された家電機器から電力供給を受けるため、家電機器の待機電力が上がることとなる。また、通信アダプタを内蔵した場合、家電機器側では、通信状態を確認できなくなるといった問題もある。
【０００９】
本発明は、このような課題に鑑みなされたもので、第１の目的は、外付け式と内蔵式との両方に好適に用いることができる通信アダプタを提供することで、第２の目的は、このような通信アダプタとの組み合わせが好適な電気機器を提供することにある。
【課題を解決するための手段】
【００１０】
上記の課題を解決するために、本発明の一態様に係る通信アダプタは、電気機器に接続されることで該電気機器と通信ネットワークとの通信を可能にし、当該通信アダプタと前記電気機器と前記通信ネットワークを介したサーバ装置との間の通信状態を表示する通信状態表示部を備えた通信アダプタであって、前記通信状態表示部のＯＮ/ＯＦＦを設定する設定部と、当該前記通信状態を示す状態情報を接続されている電気機器に送信する状態情報送信部と、を備えることを特徴としている。
【００１１】
上記の課題を解決するために、本発明の一態様に係る電気機器は、本発明の一態様に係る通信アダプタと接続されて、通信ネットワークとの通信が可能になる電気機器であって、当該電気機器に接続される前記通信アダプタの前記設定部に対して、前記通信状態表示部のＯＮ/ＯＦＦの設定を指示する指令部と、記通信アダプタより受信した前記状態情報に基づいて、通信状態を簡略化して表示する簡易通信状態表示部と、を備えることを特徴としている。
【発明の効果】
【００１２】
本発明の一態様によれば、外付け式と内蔵式との両方に好適に用いることができる通信アダプタを提供することが可能となり、また、このような通信アダプタとの組み合わせが好適な電気機器を提供することが可能となる。
【図面の簡単な説明】
【００１３】
【図１】本発明の実施形態１に係る通信アダプタと家電機器とを含む遠隔制御システムのイメージを示す図である。
【図２】上記通信アダプタの正面より見た外観図である。
【図３】上記通信アダプタが内蔵されるアダプタ内蔵式の家電機器の正面側より見た外観図である。
【図４】上記遠隔制御システムの通信状態と、該システムの通信状態を示す上記通信アダプタのアダプタ側ランプ部の表示例と、システムの通信状態を示すアダプタ内蔵式の家電機器の機器側ランプ部の表示例を示す説明図である。
【図５】ＥＣＨＯＮＥＴ  Ｌｉｔｅ規格に対応したシステムとの通信状態と、該システムの通信状態を示す上記通信アダプタのアダプタ側ランプ部の表示例と、システムの通信状態を示すアダプタ内蔵式の家電機器の機器側ランプ部の表示例を示す説明図である。
【図６】上記アダプタ内蔵式の家電機器の表示画面に表示される、システムの通信状態の詳細情報の表示例を示す説明図である。
【図７】上記通信アダプタおよび上記アダプタ内蔵式の家電機器の要部構成を示すブロック図である。
【図８】本発明の実施形態２に係る通信アダプタおよびアダプタ内蔵式の家電機器の要部構成を示すブロック図である。
【発明を実施するための形態】
【００１４】
〔実施形態１〕
（通信アダプタ１が設置された家電機器１０を含むシステム）
図１は、本実施形態に係る通信アダプタ１と家電機器（電気機器）１０（１０Ａ，１０Ｂ）とを含む遠隔制御システムのイメージを示す図である。図１に示すように、遠隔制御システムでは、ユーザ宅５０に備えられた家電機器（電気機器）１０に通信アダプタ１が設置されている。家電機器１０は、それぞれに設置された通信アダプタ１を介して、通信ネットワーク６２と接続される。通信ネットワーク６２には、サーバ（サーバ装置）２０と通信端末装置３０とが接続されている。
【００１５】
家電機器１０は、通信ネットワーク６２へ接続するための通信制御部および通信プログラムの記憶部等を具備していない。家電機器１０は、これら通信制御部および通信プログラムの記憶部等を搭載した通信アダプタ１が接続される（設置される）ことで、通信ネットワーク６２と通信可能となる。
【００１６】
このうち、家電機器１０Ａは、通信アダプタ１が家電機器の外部に設置される家電機器であり、ここでは、エアコン、冷蔵庫、空気清浄機が相当する。また、家電機器１０Ｂは、通信アダプタ１との組み合わせが好適な、通信アダプタ１が家電機器の内部に設置されるアダプタ内蔵式の家電機器であり、ここでは、オーブンレンジ、洗濯機が相当する。なお、通信アダプタ１の設置位置が特に問題となる場合を除いて、家電機器１０Ａおよび家電機器１０Ｂを共に家電機器１０と称し、区別せずに説明する。
【００１７】
通信端末装置３０は、専用のアプリケーションがダウンロードされているスマートフォンやタブレット端末等である。
【００１８】
サーバ２０は、ユーザによって登録された、通信端末装置３０と家電機器１０との組み合わせを登録管理するものである。サーバ２０に組み合わせが登録されることで、ユーザは、通信端末装置３０を用いて対応付けられた家電機器１０を遠隔制御したり、対応付けられた家電機器１０の稼働状態を遠隔にて確認（モニタリング）したりすることができる。なお、図１では、サーバ２０を１台のみ記載しているが、複数台のサーバが機能を分担する構成であってもよい。本実施形態では、サーバ２０が、クラウドサービスを提供するクラウドサーバである場合を例示する。
【００１９】
ユーザ宅５０には、通信ネットワーク６２の一部をなす無線ＬＡＮ（Wireless Local Area Network）が整備されている。家電機器１０に設置された通信アダプタ１は、無線ＬＡＮの中継局４０を介して通信ネットワーク６２の一部をなすインターネットと接続されている。中継局４０は、例えばＷｉＦｉ（登録商標）ルータやＷｉＦｉアクセスポイント等の通信機器である。なお、本実施の形態では、通信ネットワーク６２としてインターネットを含む構成を例示しているが、電話回線網、移動体通信網、ＣＡＴＶ（CAble TeleVision）通信網、衛星通信網等を利用することもできる。
【００２０】
サーバ２０と通信アダプタ１が設置された家電機器１０とは、通信ネットワーク６２を介して通信可能であり、また、サーバ２０と通信端末装置３０とも、通信ネットワーク６２を介して通信可能である。通信端末装置３０と通信ネットワーク６２におけるインターネットとの間は、３Ｇ（3rd Generation）、ＬＴＥ（Long Term Evolution）や、宅内あるいは公衆のＷｉＦｉアクセスポイント等を利用して接続される。また、家電機器１０および通信端末装置３０は、いずれも無線通信機器であり、通信ネットワーク６２におけるインターネットを介することなく、中継局４０を介して相互に通信することもできる。
【００２１】
また、家電機器１０は、サーバ２０と接続して遠隔制御システムを構成する遠隔制御モードの他、無線ＬＡＮを介してユーザ宅５０に設置されたホームコントローラ（図示せず）と接続してＥＣＨＯＮＥＴ  Ｌｉｔｅ規格に対応したシステムを構成するＥＣＨＯＮＥＴ  Ｌｉｔｅモードでも使用できる。ホームコントローラは、宅内に配された制御装置であり、接続された宅内の家電機器１０への電力供給を制御して、二酸化炭素の排出量の削減等を図るものである。
【００２２】
（通信アダプタ１とアダプタ内蔵式の家電機器１０Ｂの構成）
次に、通信アダプタ１およびアダプタ内蔵式の家電機器１０Ｂについて詳しく説明する。図２は、通信アダプタ１の正面側より見た外観図である。通信アダプタ１の正面には、電源スイッチ２、無線ＬＡＮボタン３、リンクボタン４、アダプタ側ランプ部（通信状態表示部）５等が設けられている。
【００２３】
電源スイッチ２は、通信アダプタ１の電源をＯＮ/ＯＦＦするもので、これをＯＮすることで、家電機器１０より通信アダプタ１に対して電力が供給される。無線ＬＡＮボタン３は、通信アダプタ１を無線ＬＡＮに接続するための操作に用いられる。リンクボタン４は、通信アダプタ１が設置された家電機器１０をサーバ２０に登録するための操作に用いられる。
【００２４】
アダプタ側ランプ部５は、例えば、電源ランプ６、無線ＬＡＮランプ７およびリンクランプ８の３つのＬＥＤランプからなる。電源ランプ６は、通信アダプタ１の電源が入っているか否かを表すもので、通信アダプタ１の電源が入っているときに点灯する。無線ＬＡＮランプ７は、通信アダプタ１が無線ＬＡＮ接続の有無を表すもので、通信アダプタ１が無線ＬＡＮと接続しているときに点灯する。リンクランプ８は、家電機器１０とサーバ２０との接続の有無を表すもので、家電機器１０がサーバ２０に登録され、家電機器１０がサーバ２０と通信しているときに点灯する。
【００２５】
アダプタ側ランプ部５は、これら３つのランプ６〜８の点灯状態にて、通信アダプタ１と家電機器１０との通信状態、通信アダプタ１と無線ＬＡＮとの通信状態、家電機器１０とサーバ２０との通信状態等、システムの通信状態を表示するものでもある。
【００２６】
アダプタ側ランプ部５の表示と、システムの通信状態との関係については後述するが、注目すべきは、本実施形態の通信アダプタ１においては、アダプタ側ランプ部５がＯＮ/ＯＦＦ設定可能に設けられている点である。アダプタ側ランプ部５をＯＮ/ＯＦＦ設定可能に設けることで、通信アダプタ１が内蔵式に用いられる場合には、アダプタ側ランプ部５が表示を行わないよう設定することが可能となる。これにより、アダプタ側ランプ部５の無駄な表示による消費電力の発生を阻止して、家電機器１０Ｂの待機電力アップを回避することができる。このようなアダプタ側ランプ部５の表示（点灯）および表示のＯＮ/ＯＦＦ設定は、通信アダプタ１に備えられた後述する制御部（状態情報送信部）２１にて行われる。
【００２７】
図３は、家電機器１０Ｂの正面側より見た外観図である。図３の例では、アダプタ内蔵式の家電機器１０Ｂとして、オーブンレンジを例示している。家電機器１０Ｂの正面には、家電機器１０Ｂに動作を命じるための操作キー部３２およびダイヤル３６、各種情報を表示する表示画面３３と共に、機器側ランプ部（簡易通信状態表示部）１６が設けられている。
【００２８】
機器側ランプ部１６は、例えば、１つのＬＥＤランプ１８からなる。上述したように、アダプタ内蔵式の家電機器１０Ｂにおいては、通信アダプタ１のアダプタ側ランプ部５をユーザは視認することができない。機器側ランプ部１６は、通信アダプタ１のアダプタ側ランプ部５の代わりに、システムの通信状態を示すものである。機器側ランプ部１６が備えられることで、ユーザは、通信アダプタ１のアダプタ側ランプ部５を視認できなくても、システムの通信状態を把握することができる。
【００２９】
ここで、機器側ランプ部１６は、通信アダプタ１のように３つのランプを用いて表示するのではなく、１つのＬＥＤランプ１８用いて、システムの通信状態を簡略化して表示する。これにより、機器側ランプ部１６を設けたことで、家電機器１０Ｂの外観デザインが大きく阻害されることはなく、また、かかるコストも低く抑えることができる。このような機器側ランプ部１６の表示は、家電機器１０Ｂに備えられた後述する制御部１１にて行われる。
【００３０】
そして、さらに注目すべきは、本実施形態の家電機器１０Ｂにおいては、機器側ランプ部１６に組み合わせて、システムの通信状態に異常（エラー）がある場合に、ユーザに異常の詳細を通知する詳細情報通知部が設けられている点である。ここでは、システムの通信状態に異常がある場合に、表示画面３３に、異常の詳細情報が表示される。このような表示画面３３を用いた詳細情報の表示も、家電機器１０Ｂに備えられた後述する制御部１１にて行われる。
【００３１】
（システムの通信状態、アダプタ側ランプ部５および機器側ランプ部１６の表示例）
図４に、遠隔制御システムの通信状態と、該システムの通信状態を示す通信アダプタ１のアダプタ側ランプ部５の表示例（３つのランプ６〜８の点灯状態）と、システムの通信状態を示す家電機器１０Ｂの機器側ランプ部１６の表示例（１つのランプ１８の点灯状態）を示す。図４において、「○」は点灯（常時点灯）、「●」は消灯、「△」は点滅、「☆」は接続や登録の状態に依存して「○，●，△」の何れかとなることを示している。図４における1) 〜8) は、以下の通りである。
【００３２】
1) 家電機器１０の電源、あるいは通信アダプタ１の電源スイッチ２の少なくとも何れかがＯＦＦの状態では、通信アダプタ１の３つのランプ６〜８は共に消灯となる（「● ● ●」）。この場合、家電機器１０Ｂのランプ１８も消灯となる（「●」）。
【００３３】
2) 上記1) の状態から、家電機器１０の電源および通信アダプタ１の電源スイッチ２が共にＯＮの状態になると、通信アダプタ１が起動中となる。通信アダプタ１の起動中、通信アダプタ１と家電機器１０との接続が正常である場合は、電源ランプ６が点灯し、残りの２つのランプは消灯のままである。通信アダプタ１の起動中、通信アダプタ１と家電機器１０との接続（通信等）に異常を検知すると、通信アダプタ１における電源ランプ６は点灯せず、３つのランプ６〜８は共に消灯のままとなる（「☆ ● ●」）。通信アダプタ１の起動中、家電機器１０Ｂのランプ１８は消灯したままとなる（「●」）。
【００３４】
3) 通信アダプタ１と家電機器１０との接続（通信等）に異常を検知すると、通信アダプタ１における電源ランプ６が点滅し、残りの２つのランプは消灯のままとなる（「△ ● ●」）。通信アダプタ１側で何らかの異常が検出されているため、家電機器１０Ｂのランプ１８は点滅する（「△」）。
【００３５】
4) 通信アダプタ１と家電機器１０との接続（通信等）が正常であるが、通信アダプタ１と無線ＬＡＮとの接続が未設定である場合、電源ランプ６のみが点灯し、残りの２つのランプは消灯のままとなる（「○ ● ●」）。通信アダプタ１側で異常は検出されていないため、家電機器１０Ｂのランプ１８は消灯したままとなる（「●」）。
【００３６】
5) 通信アダプタ１と家電機器１０との接続（通信等）が正常で、通信アダプタ１と無線ＬＡＮとの接続も設定済であるが、サーバ２０と家電機器１０との登録の未設定である場合は、電源ランプ６と無線ＬＡＮランプ７とが点灯し、リンクランプ８のみ消灯した状態となる（「○ ○ ●」）。この場合も、通信アダプタ１側で異常は検出されていないため、家電機器１０Ｂのランプ１８は消灯したままとなる（「●」）。
【００３７】
6) 通信アダプタ１と家電機器１０との接続（通信等）が正常で、通信アダプタ１と無線ＬＡＮとの接続も設定済で、サーバ２０と家電機器１０との登録も設定済の場合は、３つのランプ６〜８が全て点灯した状態となる（「○ ○ ○」）。この場合、家電機器１０Ｂのランプ１８も点灯する（「○」）。遠隔制御モードにおいては、正常動作時、通信アダプタ１の３つのランプ６〜８が点灯した状態となり、家電機器１０Ｂのランプ１８も点灯した状態となる。
【００３８】
7) 通信アダプタ１と家電機器１０との接続（通信等）が正常であるが、通信アダプタ１と無線ＬＡＮとの通信に異常があると、電源ランプ６は点灯するが、無線ＬＡＮランプ７は点滅する。このとき、リンクランプ８は、サーバ２０と家電機器１０との登録が設定済の場合は点滅し、登録が未設定である場合は消灯した状態となる（「○ △ ☆）」）。この場合、通信アダプタ１側で何らかの異常が検出されているため、家電機器１０Ｂのランプ１８も点滅する（「△」）。
【００３９】
8) 通信アダプタ１と家電機器１０との接続（通信等）が正常で、通信アダプタ１と無線ＬＡＮとも設定済であるが、登録設定済のサーバ２０と家電機器１０との通信に異常がある場合は、電源ランプ６と無線ＬＡＮランプ７とが点灯し、リンクランプ８のみ点滅した状態となる（「○ ○ △」）。この場合も、通信アダプタ１側で何らかの異常が検出されているため、家電機器１０Ｂのランプ１８は点滅する（「△」）。
【００４０】
図５に、ＥＣＨＯＮＥＴ  Ｌｉｔｅ規格に対応したシステムとの通信状態と、該システムの通信状態を示す通信アダプタ１のアダプタ側ランプ部５の表示例（３つのランプ６〜８の点灯状態）と、システムの通信状態を示す家電機器１０Ｂの機器側ランプ部１６の表示内容（１つのランプ１８の点灯状態）を示す。図５においても、「○」は点灯（常時点灯）、「●」は消灯、「△」は点滅、「☆」は接続や登録の状態に依存して「○，●，△」の何れかとなることを示している。
【００４１】
ＥＣＨＯＮＥＴ  Ｌｉｔｅモードでは、家電機器１０がサーバ２０と接続されることはないため、リンクランプ８は常時消灯となる。i)〜iv) に示すシステムの通信状態と、アダプタ側ランプ部５および機器側ランプ部１６の各表示は、遠隔制御モードの 1)〜4) と同じである。v) に示すシステムの通信状態と、アダプタ側ランプ部５および機器側ランプ部１６の各表示は、遠隔制御モードの 6) と同じである。ＥＣＨＯＮＥＴ  Ｌｉｔｅモードにおいては、正常動作時、２つのランプ６，７が点灯した状態となる。vi) に示すシステムの通信状態と、アダプタ側ランプ部５および機器側ランプ部１６の各表示は、遠隔制御モードの 7) と同じである。
【００４２】
（アダプタ内蔵式の家電機器１０Ｂの表示画面３３に表示される詳細情報の表示例）
図６に、家電機器１０Ｂの表示画面３３に表示される詳細情報の表示例を示す。通信アダプタ１が何らかの異常（機器接続エラー、無線ＬＡＮエラー、クラウドエラー）を検出している場合、表示画面３３に、検出されているエラーの内容とその対策方法が表示される。なお、このとき、家電機器１０Ｂに設けられた機器側ランプ部１６は点滅表示である。
【００４３】
例えば、機器接続エラーの場合、エラー内容としては、「初期化失敗」と「家電機器との通信エラー」とがある。エラー内容に応じた対策方法が併せて表示される。なお、ここでは、無線ＬＡＮエラーの対策方法の「無線ＬＡＮ接続に関する状態診断」のような対策内容も、表示画面３３に表示する構成としているが、表示すべき情報量が多く、表示画面３３のような小さな表示領域に表示すると、反対に視認し辛くなる場合には、詳細が記載された情報サイトへアクセスできるＵＲＬやバーコード、ＱＲコード（登録商標）等を表示するようにしてもよい。
【００４４】
（通信アダプタ１とアダプタ内蔵式の家電機器１０Ｂの要部構成）
図７は、通信アダプタ１と家電機器１０Ｂの要部の構成を示すブロック図である。図７に示すように、通信アダプタ１は、上記アダプタ側ランプ部５の他、制御部２１、記憶部２２、通信部２３および接続部２４を備えている。
【００４５】
制御部２１は、例えば、ＣＰＵ（Central Processing Unit）や専用プロセッサなどの演算処理部などにより構成されるコンピュータ装置からなり、通信アダプタ１の各部の動作を制御する。
【００４６】
制御部２１は、サーバ２０（遠隔制御モード時）あるいはホームコントローラ（ＥＣＨＯＮＥＴ  Ｌｉｔｅモード時）から受信したデータが、家電機器１０を制御する、例えば、家電機器１０に動作を命じる制御コマンドである場合に、これを家電機器１０に送信する。
【００４７】
記憶部２２は、通信アダプタ１で用いられる各種情報を記憶する。通信部２３は、通信ネットワーク６２を介してサーバ２０やホームコントローラと相互通信を行う。接続部２４は、家電機器１０の接続部１４と相互通信する。接続部２４と家電機器１０の接続部１４との間の接続は、例えば、ＵＳＢ（Universal Serial Bus）コネクタによる接続などであってもよい。
【００４８】
そして、本実施形態においては、制御部２１は、通信部２３および接続部２４の通信状態やそれらが取得する各種の情報に基づいて、アダプタ側ランプ部５における３つのランプ６〜８の点灯を制御し、点灯状態にてシステムの通信状態を表示する。
【００４９】
また、制御部２１は、アダプタ側ランプ部５のＯＮ/ＯＦＦを設定する設定部としての機能も有している。ここでは、制御部２１が、家電機器１０から入力される家電機器１０の種別を示す種別信号に基づいて、アダプタ側ランプ部５のＯＮ/ＯＦＦを設定する。
【００５０】
種別信号とは、家電機器１０が、冷蔵庫、エアコン、空気清浄機、オーブンレンジ、洗濯機等の何れであるかを示す信号である。前述したように、家電機器１０には、その種別によって、通信アダプタ１が家電機器１０外部に設置される外付け式と、通信アダプタ１が家電機器１０の内部に設置される内蔵式とがある。例えば、冷蔵庫やエアコン、空気清浄機が外付け式であり、オーブンレンジや洗濯機が内蔵式である。
【００５１】
制御部２１は、家電機器１０から種別信号を受信すると、記憶部２２を参照して、家電機器１０が外付け式か内蔵式かを判断する。制御部２１は、外付け式であると判断すると、アダプタ側ランプ部５をＯＮ設定し、内蔵式であると判断すると、アダプタ側ランプ部５をＯＦＦ設定する。
【００５２】
さらに、制御部２１は、状態情報通信部としての機能も有しており、当該通信アダプタ１と家電機器１０と通信アダプタ１を介したサーバ２０との通信状態を示す状態情報を、接続された家電機器１０に送信する。
【００５３】
状態情報とは、詳細には、当該通信アダプタ１と家電機器１０との通信状態、当該通信アダプタ１と通信ネットワーク６２との通信状態、および家電機器１０と通信ネットワーク６２を介したサーバ２０との通信状態を示す情報である。
【００５４】
ここでは、制御部２１は、アダプタ側ランプ部５がＯＦＦ設定である場合にのみ、換言すると、接続された家電機器１０が内蔵式の家電機器１０Ｂである場合にのみ状態情報を送信する。これにより、状態情報の送信においても無駄な送信がなくなり、さらなる無駄な消費電力の発生を阻止できる。
【００５５】
一方、家電機器１０Ｂは、制御部１１、記憶部１２、運転動作部１３、接続部１４、通信部１５、機器側ランプ部１６を備えている。
【００５６】
制御部１１は、例えば、ＣＰＵ（Central Processing Unit）や専用プロセッサなどの演算処理部などにより構成されるコンピュータ装置からなり、家電機器１０の各部の動作を制御する。制御部１１には、通信アダプタ１を介して、サーバ２０やホームコントローラから制御コマンドが入力される。また、制御部１１には、通信部１５を介してリモコン１９からの制御コマンドが入力される。制御部１１は、受け取った制御コマンドに応じて運転動作部１３を動作させる。
【００５７】
記憶部１２は、家電機器１０にて用いられる各種情報を記憶する。接続部１４は、通信アダプタ１の接続部２４との間で相互通信を行う。運転動作部１３は、制御部１１による制御の下、家電機器１０の各種運転動作を実行する。通信部１５は、リモコン１９を用いた赤外線による近距離通信による操作指示を受信する。通信部１５が受信した操作指示は、制御部１１に送られ、制御部１１による制御の下、各種運転動作が実行される。本実施の形態では、赤外線にて通信するものとしたが、他の近距離通信を行える無線あるいは有線にて通信してもよい。
【００５８】
そして、本実施形態においては、制御部１１は、通信アダプタ１から入力される状態情報に基づいて、機器側ランプ部１６におけるランプ１８を駆動して、その点灯状態にてシステムの通信状態を簡略化して表示する。
【００５９】
また、制御部１１は、通信アダプタ１の制御部２１に対して、アダプタ側ランプ部５のＯＮ/ＯＦＦの設定を指示する指令部としての機能を有している。ここでは、種別情報を通信アダプタ１に送信することで、通信アダプタ１側にて、家電機器１０が内蔵式であるかを判断させて、ＯＮ/ＯＦＦ設定を行わせているが、制御部１１からダイレクトに制御部２１に対してアダプタ側ランプ部５のＯＮ/ＯＦＦ設定を指示する構成としてもよい。
【００６０】
さらに、制御部１１は、システムの通信状態の異常の詳細情報を表示画面３３に表示する詳細情報表示制御部１１ａとしての機能も有している。詳細情報表示制御部１１ａは、通信アダプタ１から入力される状態情報に基づいて、システムの通信状態に異常がある場合には、システムの通信状態の異常の詳細情報を表示画面３３に表示する。
【００６１】
詳細情報の表示データは、予め記憶部１２に記憶させておいたものを使用することができる。また、サーバ２０と接続される遠隔制御モードでの使用においては、記憶部１２に記憶された詳細情報の表示データを適宜更新して使用することができる。
【００６２】
このような詳細情報の表示は、本実施形態では、家電機器１０Ｂの前記ダイヤル３６が回されたときや、扉が開けられたとき、操作キー部３２が操作されたとき、リモコン１９から操作を受けたときなど、何らかの操作が家電機器１０Ｂに対して実施された場合に表示される。このように、家電機器１０Ｂの使用に関連付けて表示することで、たとえユーザが、機器側ランプ部１６の点滅表示に気が付かなかったとしても、通信異常（通信エラー）の発生を伝えることができる。
【００６３】
あるいは、ユーザから詳細情報の表示が要求された場合に、表示する構成としてもよい。詳細情報の表示の要求は、要求を受け付けるボタンを操作キー部３２に設けたり、機器側ランプ部１６をＬＥＤボタンから構成して、点滅表示しているＬＥＤボタンの押圧にて、詳細情報の表示の要求を受け付ける仕様としたりしてもよい。
【００６４】
また、家電機器１０Ｂを使用する操作がなされたときに表示する構成と、詳細情報の表示の要求を受け付けるボタン等が操作された場合に表示する構成との両方を組み合わせてもよい。
【００６５】
〔実施形態２〕
本発明の他の実施形態について説明する。なお、説明の便宜上、前記実施形態にて説明した部材と同じ機能を有する部材については、同じ符号を付記し、その説明を省略する。
【００６６】
図８に示すように、本実施形態の家電機器１０Ｂ’は、スピーカ等の音声出力部（音声出力装置）３５を備え、家電機器１０Ｂ’に対して、扉が開けられたり、操作キー部３２が操作されたり、リモコン１９から操作を受けるなど、予め定められた事象の発生を検知すると、発話する機能（音声出力機能）を有している。
【００６７】
このような発話する機能を有する家電機器１０Ｂ’では、表示機能に代えて発話機能を利用して、通信アダプタ１から入力されるシステムの通信状態を示す状態情報に基づいて、システムの通信状態に異常がある場合には、システムの通信状態の異常の詳細情報（エラー内容と対策方法）を発話する。
【００６８】
具体的には、制御部１１’に、詳細情報表示制御部１１ａに代えて音声出力部３５を制御する詳細情報音声出力制御部１１ｂが構築され、詳細情報音声出力制御部１１ｂが音声出力部３５を用いて詳細情報を発話させる。
【００６９】
詳細情報の音声データは、予め記憶部１２に記憶させておいたものを使用することもできる。また、サーバ２０と接続される遠隔制御モードでの使用においては、記憶部１２に記憶された詳細情報の音声データを適宜更新して使用することができる。
【００７０】
詳細情報の発話のタイミングは、実施形態１の詳細情報の表示のタイミングと同じである。ところで、詳細情報を表示する構成では、システムの通信状態が異常な場合に限らず、正常な場合にも、正常である旨を表示する構成としてもよい。しかしながら、詳細情報を発話する場合は、システムの通信状態が正常な場合にまでいちいち発話が行われると、ユーザが煩わしさを感じる恐れがある。そのため、発話機能を用いる場合は、システムの通信状態に異常がある場合にのみ、システムの通信状態の詳細情報を発話する構成とすることが好ましい。
【００７１】
また、ユーザから詳細情報の発話が要求された場合に、発話する構成としてもよい。詳細情報の発話の要求は、要求を受け付けるボタンを操作キー部３２に設けたり、機器側ランプ部１６をＬＥＤボタンから構成して、点滅表示しているＬＥＤボタンの押圧にて、詳細情報の発話の要求を受け付ける仕様としたりしてもよい。
【００７２】
また、家電機器１０Ｂを使用する操作がなされたときに発話する構成と、詳細情報の発話の要求を受け付けるボタン等が操作された場合に発話する構成との両方を組み合わせてもよい。
【００７３】
上記構成によれば、詳細情報を音声にて確認できるので、家電機器１０Ｂの表示画面３３に詳細情報が表示されるよりも、通信状態の異常発生を認識しやすく、また、詳細情報に従った対策が実行し易いといった利点がある。
【００７４】
〔他の実施形態〕
本発明の他の実施の形態について説明する。ここでは、前記した実施形態の通信アダプタ１および家電機器１０Ｂにおいて、仕様・構成の一部を変更することができる部分や追加できる機能等を説明する。なお、説明の便宜上、前記実施形態にて説明した部材と同じ機能を有する部材については、同じ符号を付記し、その説明を省略する。
【００７５】
（１）家電機器１０Ｂにおいて、リモコン１９から操作された場合に、表示画面３３の代わりに、リモコン１９の表示画面３４（図７参照）にシステムの通信状態の異常の詳細情報を表示させる構成としてもよい。あるいは、リモコン１９からの操作に関わりなく、表示画面３３と共にリモコン１９の表示画面３４にも詳細情報を表示させる構成としてもよい。
【００７６】
具体的には、詳細情報表示制御部１１ａが、通信部１５を介してリモコン１９に指示して表示画面３４に詳細情報を表示させる。リモコン１９は持ち運びが可能であるため、リモコン１９の表示画面３４を確認しながら、詳細情報に従った対策を実行し易いといった利点がある〔実施形態３〕。
【００７７】
（２）家電機器１０Ｂにおいて、家電機器１０Ｂが、表示画面３３も、リモコン１９の表示画面３４も備えない場合には、システムの通信状態の異常の詳細情報を通知する詳細情報通知部として、７セグＬＥＤを家電機器１０Ｂに搭載させ、７セグＬＥＤを用いて、発生した異常に対応したエラーコードをそのまま１６進数（０〜Ｆ）で表示してもよい。
【００７８】
この場合、ユーザは、パソコンや通信端末装置３０を含む情報端末を用いて家電機器１０Ｂのメーカ等の管理しているサービスサーバにアクセスして、エラーコードを入力して、該エラーコードにて示される異常（エラー）の内容と対策方法とを取得して対応する〔実施形態４〕。
【００７９】
（３）家電機器１０Ｂにおいて、家電機器１０Ｂが、表示画面３３も、リモコン１９の表示画面３４も備えておらず、７セグＬＥＤを備えさせることもできない場合には、詳細情報通知部として、簡易通信状態表示部を構成する機器側ランプ部１６を共用してもよい。この場合、機器側ランプ部１６に設けられた１つのランプ１８の点滅パターンにて、発生した異常に対応したエラーコードを表示する。
【００８０】
この場合も、ユーザは、パソコンや通信端末装置３０を含む情報端末を用いて家電機器１０Ｂのメーカ等の管理しているサービスサーバにアクセスして、表示されている点滅パターンを選択するなどして、点滅パターンにて示される異常（エラー）の内容と対策方法とを取得して対応する〔実施形態５〕。
【００８１】
（４）通信アダプタ１に、アダプタ側ランプ部５のＯＮ/ＯＦＦを設定するためのスイッチを設けてもよい。内蔵式の家電機器１０Ｂに取り付けられる場合には、このスイッチを用いてアダプタ側ランプ部５をＯＦＦに設定してから、家電機器１０Ｂに搭載する〔実施形態６〕。
【００８２】
（５）アダプタ内蔵式の家電機器１０Ｂにおける通信アダプタ１の設置個所にＯＦＦ設定用のスイッチとして機能するピン等を設けると共に、通信アダプタ１に前記ピンに係合する穴を設けておき、通信アダプタ１の前記穴に家電機器１０Ｂ側のピンが係合した場合に、通信アダプタ１がアダプタ側ランプ部５をＯＦＦ設定とする構成であってもよい。
【００８３】
通信アダプタ１における制御部２１は、家電機器１０Ｂに設けられたＯＦＦ設定用のピンが通信アダプタ１の所定の穴に係合することで、アダプタ側ランプ部５をＯＦＦ設定とする〔実施形態７〕。
【００８４】
（６）実施形態１においては、図４、図５を用いて、アダプタ側ランプ部５の表示例を示したが、これらがシステムの通信状態の全てを表すものではなく、図４、図５に示されていない表示（点灯状態）も存在する。例えば、ＷＰＳ中（無線ＬＡＮ親機を検索中）は、電源ランプ６は点灯、無線ＬＡＮランプ７は点滅、リンクランプ８は消灯となる（「○ △ ●」）。また、家電機器１０とサーバ２０との登録設定操作の中で、家電機器１０を登録する操作(登録したい家電機器を選択)を行うと、電源ランプ６は点灯、無線ＬＡＮランプ７は点滅、リンクランプ８は点滅(２秒間)となる（「○ △ △（２秒間）」）。このような点灯状態が、登録作業中であることを示す表示となる。また、通信アダプタ１側で家電機器１０の登録許可する操作(リンク)を行うと、電源ランプ６は点灯、無線ＬＡＮランプ７は点灯、リンクランプ８は点滅（２秒間)となる（「○ ○ △（２秒間）」）。このような点状態が、アダプタ登録許可(リンク可能)状態を示す表示となる。
【００８５】
家電機器１０Ｂにおいては、このような場合に、システムの通信状態の異常ではないが、その内容の詳細情報を示す「家電機器１０とサーバ２０との登録設定操作中です」等の発話や表示を行う構成としてもよい〔実施形態８〕。
【００８６】
（７）家電機器１０Ｂにおいては、システムの通信状態に複数の異常が発生している場合には、一度、１つの発生している異常の詳細情報を、表示あるいは発話にて通知した後、もう一度、家電機器１０Ｂが使用されるなどして、異常の詳細情報を知らせるタイミングになると、未通知の異常の詳細情報を、表示あるいは発話にて通知する。このとき、ユーザに通知していない異常の詳細情報がある場合、表示や発話要求を受け付けるボタンを点滅する等でユーザに未通知の詳細情報があることを知らせる構成としてもよい〔実施形態９〕。
〔ソフトウェアによる実現例〕
通信アダプタ１および家電機器１０Ｂの制御ブロック（特に詳細情報表示制御部１１ａ，詳細情報音声出力制御部１１ｂ）は、集積回路（ＩＣチップ）等に形成された論理回路（ハードウェア）によって実現してもよいし、ＣＰＵ（Central Processing Unit）を用いてソフトウェアによって実現してもよい。
【００８７】
後者の場合、通信アダプタ１および家電機器１０Ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８８】
〔まとめ〕
本発明の態様１に係る通信アダプタ１は、電気機器（家電機器１０）に接続されることで該電気機器（家電機器１０）と通信ネットワーク６２との通信を可能にし、当該通信アダプタ１と前記電気機器（家電機器１０）と前記通信ネットワーク６２を介したサーバ装置（サーバ２０）との間の通信状態を表示する通信状態表示部（アダプタ側ランプ部５）を備えた通信アダプタ１であって、前記通信状態表示部（アダプタ側ランプ部５）のＯＮ/ＯＦＦを設定する設定部（制御部２１）と、前記通信状態を示す状態情報を接続されている電気機器（家電機器１０Ａ）に送信する状態情報送信部（制御部２１）と、を備えることを特徴とする。
【００８９】
通信アダプタが取り付けられる電気機器によっては、電気機器の外部に見えるように設置されるものもあれば、電気機器の内部に見えないように設置されるものがある。このような種々の電気機器間で通信アダプタを共用にすると、コスト的に安くできるメリットがある。しかしながら、外付け式に対応可能な電気機器をそのまま電気機器に内蔵させると、通信状態表示部が無駄な表示を行ってしまう。
【００９０】
上記構成によれば、設定部により通信状態表示部のＯＮ/ＯＦＦを設定できるので、内蔵式で用いられる場合には、通信状態表示部をＯＦＦ設定とすることで、無通信状態表示部の無駄な表示を無くして、電気機器の待機電力アップを回避できる。
【００９１】
そして、状態情報送信部が、当該前記通信状態を示す状態情報を、接続されている電気機器に送信するので、内蔵式に用いられて通信状態表示部が視認できなくても、通信状態を接続されている電気機器に伝えることができる。
【００９２】
これにより、外付け式と内蔵式との両方に好適に用いることができる通信アダプタを提供することができる。
【００９３】
本発明の態様２に係る通信アダプタ１は、さらに、前記設定部が、前記電気機器（家電機器１０）より受信した該電気機器の種別を示す種別情報に基づいて、通信状態表示部（アダプタ側ランプ部５）をＯＦＦ設定すべき電気機器であるか否かを判断し、ＯＦＦ設定すべきと電気機器であると判断すると、前記設定部（制御部２１）が通信状態表示部（アダプタ側ランプ部５）をＯＦＦ設定とする構成とすることができる。
【００９４】
上記構成では、設定部が、電気機器から受信した種別情報に基づいて、当該通信アダプタが接続された電気機器が、通信状態表示部をＯＦＦ設定すべき電気機器であるか否かを判断して、ＯＦＦ設定すべきと判断すると、通信状態表示部をＯＦＦ設定とする。
【００９５】
通信アダプタを内蔵する内蔵式か外付けする外付け式かが、電気機器の種別に応じて設定される場合、このような構成とすることで、電気機器に通信アダプタを接続するだけで、通信状態表示部のＯＮ/ＯＦＦを設定することができる。
【００９６】
本発明の態様３に係る通信アダプタは、さらに、前記状態情報送信部（制御部２１）は、前記通信状態表示部（アダプタ側ランプ部５）がＯＦＦ設定である場合にのみ、前記状態情報を送信する構成とすることもできる。
【００９７】
上記構成によれば、電気機器に内蔵され、自身が設置された電気機器側で通信状態の表示が必要な場合にのみ、電気機器に状態情報を送信するので、状態情報の送信においても無駄な送信を無くして、省電力化が図れる。
【００９８】
本発明の態様４に係る電気機器（家電機器１０Ｂ）は、前記本発明の態様１に係る通信アダプタ１と接続されて、通信ネットワーク６２との通信が可能になる電気機器（家電機器１０Ｂ）であって、当該電気機器（家電機器１０Ｂ）に接続される前記通信アダプタ１の前記設定部（制御部２１）に対して、前記通信状態表示部（アダプタ側ランプ部５）のＯＮ/ＯＦＦの設定を指示する指令部（制御部１１）と、前記通信アダプタ１より受信した前記状態情報に基づいて、通信状態を簡略化して表示する簡易通信状態表示部（機器側ランプ部１６）と、を備えることを特徴とする。
【００９９】
上記構成によれば、指令部を用いて、電気機器から通信アダプタの通信状態表示部のＯＮ/ＯＦＦの設定を行うことができる。
【０１００】
さらに、上記構成によれば、簡易通信状態表示部が、通信アダプタより受信した状態情報に基づいて、通信状態を簡略化して表示するので、通信アダプタが電気機器に内蔵されても、通信アダプタによる通信状態を確認することができる。しかも、簡略化して示すので、電気機器の外観デザインが大きく阻害されることはなく、また、かかるコストも低く抑えることができる。
【０１０１】
本発明の態様５に係る電気機器（家電機器１０Ｂ）は、さらに、前記本発明の態様４に係る通信アダプタ１と接続されて、通信ネットワーク６２との通信が可能になる電気機器１０Ｂであって、前記通信状態に異常がある場合に、異常の内容と対策方法を含む詳細情報をユーザに通知する詳細情報通知部（詳細情報表示制御部１１ａ，詳細情報音声出力制御部１１ｂ）を備える構成とすることもできる。
【０１０２】
上記構成によれば、詳細情報通知部が、通信状態に異常がある場合に、異常の内容と対策方法を含む詳細情報をユーザに通知するので、ユーザは、通知される詳細情報から、異常の内容を把握し、通知された対策方法に従って、異常を解消する対策を実行することができる。
【０１０３】
本発明の態様６に係る電気機器（家電機器１０Ｂ）は、さらに、各種情報を表示する表示装置（表示画面３３，３４）を備え、前記詳細情報通知部（詳細情報表示制御部１１ａ）は、前記表示装置（表示画面３３，３４）に前記詳細情報を表示させる構成とすることもできる。
【０１０４】
上記構成によれば、詳細情報が表示装置に表示されるので、表示に従って、異常を解消する対策を実行することができる。
【０１０５】
本発明の態様７に係る電気機器（家電機器１０Ｂ）は、さらに、音声出力装置（音声出力部３５）を備え、前記詳細情報通知部（詳細情報音声出力制御部１１ｂ）は、前記音声出力装置（音声出力部３５）に前記詳細情報を音声出力させる構成とすることもできる。
【０１０６】
上記構成によれば、詳細情報が音声出力部より音声で出力されるので、表示部に表示される構成よりも確認しやすく、異常を解消する対策がより実行しやすくなる。
【０１０７】
本発明の各態様に係る通信アダプタ１の制御部２１、電気機器（家電機器１０Ｂ）の制御部１１は、コンピュータによって実現してもよく、この場合には、コンピュータを上記制御部２１，１１として動作させることにより上記制御部２１，１１をコンピュータにて実現させる制御プログラム、およびそれを記録したコンピュータ読み取り可能な記録媒体も、本発明の範疇に入る。
【０１０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０９】
本発明は、家電機器を接続されることで家電機器を通信ネットワークに接続する通信アダプタ、および通信アダプタを内蔵するタイプの家電機器に利用することができる。
【符号の説明】
【０１１０】
１  通信アダプタ
２  電源スイッチ
３  無線ＬＡＮボタン
４  リンクボタン
５  アダプタ側ランプ部（通信状態表示部）
６  電源ランプ
７  無線ＬＡＮランプ
８  リンクランプ
１０  家電機器（電気機器）
１０Ａ  家電機器（外付け式の電気機器）
１０Ｂ  家電機器（内蔵式の電気機器）
１１  制御部（指令部）
１１ａ  詳細情報表示制御部（詳細情報通知部）
１１ｂ  詳細情報音声出力制御部（詳細情報通知部）
１２  記憶部
１６  機器側ランプ部（簡易通信状態表示部）
１９  リモコン
２０  サーバ
２１  制御部（設定部，状態情報送信部）
２２  記憶部
３０  通信端末装置
３３，３４  表示画面
３５  音声出力部
３６  ダイヤル
４０  中継局
５０  ユーザ宅
６２  通信ネットワーク
【図１】
2016116159.tif 000003
【図２】
2016116159.tif 000004
【図３】
2016116159.tif 000005
【図４】
2016116159.tif 000006
【図５】
2016116159.tif 000007
【図６】
2016116159.tif 000008
【図７】
2016116159.tif 000009
【図８】
2016116159.tif 000010